(57)【要約】入力信号（ｘ）から第１出力信号（Ｌ）及び第２出力信号（Ｒ）を合成する方法について提供する。この方法は：フィルタリングされた信号を生成するために入力信号をフィルタリングする（２０１）段階；第１出力信号及び第２出力信号の間の好ましい相関を表す相関パラメータを得る段階；第１出力信号及び第２出力信号の間の好ましいレベル差を表すレベルパラメータ（ｃ）を得る段階；並びに、第１出力信号及び第２出力信号にマトリクス演算（２０３）により入力信号及びフィルタリングされた信号を変換する段階であって、マトリクス演算は相関パラメータ及びレベルパラメータに依存する、段階；を有する。
2005523624.tif 000002
【特許請求の範囲】
【請求項１】
入力信号から第１出力信号及び第２出力信号を合成する方法であって：
フィルタリングされた信号を生成するために前記入力信号をフィルタリングする段階；
前記第１出力信号及び前記第２出力信号の間の好ましい相関を表す相関パラメータを得る段階；
前記第１出力信号及び前記第２出力信号の間の好ましいレベル差を表すレベルパラメータを得る段階；並びに
前記第１出力信号及び前記第２出力信号にマトリクス演算により前記入力信号及び前記フィルタリングされた信号を変換する段階であって、前記マトリクス演算は前記相関パラメータ及び前記レベルパラメータに依存する、段階；
を有することを特徴とする方法。
【請求項２】
請求項１に記載の方法であって、前記マトリクス演算は、前記入力信号及び前記フィルタリングされた入力信号によりスパンされた空間において前記第１出力信号及び第２出力信号の所定の角度により共通回転を有し、前記の所定の角度は前記レベルパラメータに依存する、ことを特徴とする方法。
【請求項３】
請求項２に記載の方法であって、前記の所定の角度は、前記第１出力信号及び前記第２出力信号の全寄与を最大化するように選択される、ことを特徴とする方法。
【請求項４】
請求項１に記載の方法であって、前記第１出力信号及び前記第２出力信号の間の前記の好ましいレベル差に前記第１出力信号及び前記第２出力信号の各々をスケーリングする段階を更に有する、ことを特徴とする方法。
【請求項５】
請求項１に記載の方法であって、前記の、前記入力信号をフィルタリングする段階は、前記入力信号をオールパスフィルタにより処理される手順を有する、ことを特徴とする方法。
【請求項６】
請求項５に記載の方法であって、前記オールパスフィルタは周波数に依存した遅延を有する、ことを特徴とする方法。
【請求項７】
入力信号から第１出力信号及び第２出力信号を合成するための構成であって：
フィルタリングされた信号を生成するために前記入力信号をフィルタリングするためのフィルタ手段；
前記第１出力信号及び前記第２出力信号の間の好ましい相関を表す相関パラメータを得るための手段；
前記第１出力信号及び前記第２出力信号の間の好ましいレベル差を表すレベルパラメータを得るための手段；並びに
前記第１出力信号及び前記第２出力信号にマトリクス演算により前記入力信号及び前記フィルタリングされた信号を変換するための手段であって、前記マトリクス演算は前記相関パラメータ及び前記レベルパラメータに依存する、手段；
を有することを特徴とする構成。
【請求項８】
復号化音声信号を供給するための装置であって：
符合化音声信号を受信するための入力ユニット；
前記符合化音声信号を復号化するための復号化器であって、請求項７に従って第１音声信号及び第２音声信号を合成するための構成を有する、復号化器；及び
復号化第１音声信号及び復号化第２音声信号を供給するための出力ユニット；
を有することを特徴とする装置。
【請求項９】
第１信号成分及び第２信号成分にマトリクス演算により入力信号及びフィルタリングされた信号を変換することにより前記入力信号から合成された前記第１信号成分及び前記第２信号成分を有する復号化マルチチャネル信号であって：
前記のフィルタリングされた信号は前記入力信号をフィルタリングすることにより生成され；
前記マトリクス演算は、前記第１出力信号及び前記第２出力信号の間の好ましい相関を表す相関パラメータと、前記第１出力信号及び前記第２出力信号の間の好ましいレベル差を表すレベルパラメータとに依存する；
ことを特徴とする復号化マルチチャネル信号。
【請求項１０】
請求項９に記載の復号化マルチチャネル信号を記憶したことを特徴とする記憶媒体。
【発明の詳細な説明】
【技術分野】
【０００１】
本発明は、入力信号からの第１出力信号及び第２出力信号の同期化に関する。
【背景技術】
【０００２】
音声符合化の分野において、パラメトリック音声符号化器は益々関心を集めるようになってきた。音声信号を表す送信（量子化）パラメータは、ほんの僅かな送信能力を必要とし、知覚的にオリジナル信号と著しく異ならない音声信号をもたらす受信側における復号化を可能にすることが明らかになってきた。従って、ビットレートの節約は、ステレオ信号の空間特性を表し、それ故、復号化器がステレオ信号の空間特性を再生するためことを可能にする、パラメータビットストリームと結合した１つの音声チャネルを送信することによってのみ得られることが可能である。
【０００３】
ＬチャネルとＲチャネルとを有するステレオ信号の符合化のために重要である、上記の空間パラメータの１つは、ＬチャネルとＲチャネルとの間のチャネル間相互関係である。従って、多くのシステムにおいて、符号化器により分析される信号パラメータの１つはチャネル間相互関係である。決定された相互関係は、それ故、符号化器から対応する復号化器へのモノ信号と共に送信される。
【０００４】
復号化器において、好ましい相互関係を有する２つの出力信号が再構成される。図１は、所謂、Ｌａｕｒｉｄｓｅｎデコリレータ（ｄｅｃｏｒｒｅｌａｔｏｒ）を示している。Ｌａｕｒｉｄｓｅｎデコリレータは、オールパスフィルタ１０１を有し、例えば、遅延が生成され、入力信号ｘの波形の遅延バージョンを減衰させる可能性がある。フィルタ１０１の出力
【０００５】
（外１）
2005523624.tif 000003
は、左チャネルＬをもたらす入力に実質的に加算され（１０２）、右チャネルＲをもたらす入力から減算される（１０３）。
【０００６】
上記の先行技術のデコリレータは、２つの出力信号が非常に小さい限り、又はレベルにおいて等しい場合でさえ、非常に適当である。しかしながら、パラメトリック音声符号化器は又、レベルの差を出力信号に適用し、所謂、振幅パニングが生じる。上記のデコリレータは、レベル差が大きい場合、生成された信号の知覚的品質が低下する問題を有する。  
【発明の開示】
【課題を解決するための手段】
【０００７】
上記の及び他の問題は、入力信号から第１出力信号及び第２出力信号を合成する方法により解決され、その方法は：
フィルタリングされた信号を生成するために入力信号をフィルタリングする段階；
第１出力信号及び第２出力信号の間の好ましい相関を示す相関パラメータを得る段階；
第１出力信号及び第２出力信号の間の好ましいレベル差を示すレベルパラメータを得る段階；及び
第１出力信号及び第２出力信号にマトリクス演算により入力信号及びフィルタリングされた信号を変換する段階；
を有する。
【０００８】
従って、好ましい相関と好ましいレベル差の両方に依存するマトリクス演算を実行することにより、パラメトリック復号化器の出力信号の知覚的品質における著しい向上が達成される。
【０００９】
好適な実施形態において、マトリクス演算は、入力信号及びフィルタリングされた入力信号によりスパンされる空間における第１出力信号及び第２出力信号の所定の角度による共通回転を有し、ここで、所定の角度はレベルパラメータに依存する。
【００１０】
従って、ミキシング演算に付加回転を加えることにより、出力信号の相対レベルは、出力信号間の相関に影響を与えることなく、制御されることが可能である。
【００１１】
他の好適な実施形態においては、第１出力信号及び第２出力信号に入力信号の全寄与を最大化するように選択される。出力信号において存在するフィルタリングされた信号の量が最小化される、これにより、オリジナル信号が最大化される場合、信号の知覚的品質は向上されることが可能であることが認識される。
【００１２】
その方法が、第１出力信号及び第２出力信号の間の前記の好ましいレベル差に第１出力信号及び第２出力信号の各々をスケーリングする段階を更に有するとき、出力信号の相対レベルは、復号化器により決定されたレベルパラメータに従って好ましいレベルに対応することが確実となる。
【００１３】
好適な実施形態においては、入力信号をフィルタリングする段階は、入力信号をオールパスフィルタ、例えば、コムフィルタにより処理する手順を有する。コムフィルタのスペクトル間隔は周波数に対して一様に分布している。従って、低周波数において山と谷との好ましい高密度の間隔が得られるようにするために、Ｌａｕｒｅｄｓｅｎデコリレータの遅延は非常に大きくする必要がある。しかしながら、これは、高周波数において、エコーが過渡入力信号に対して感知される不利点を有する。
【００１４】
この問題は、オールパスフィルタが周波数依存遅延を有するとき、解決されることが可能である。高周波数においては、粗い周波数分解能をもたらす、比較的小さい遅延が用いられる。低周波数においては、大きい遅延はコムフィルタの高密度の間隔をもたらす。
【００１５】
フィルタリングは、信号の全帯域幅において実行されることが可能である。代替として、フィルタリングは、バンド制限フィルタと結合されることが可能であり、それ故、１つ又はそれ以上の選択された周波数帯域にデコリレーションを適用することが可能である。
【００１６】
項マトリクス演算は、出力マルチチャネル信号の成分が入力マルチチャネル信号の線形成分である場合に、出力マルチチャネル信号に入力マルチチャネル信号を変換する演算をいう。
【００１７】
本発明は、上記の方法を有する異なる方法において、及び下の符合化及び復号化のための配置において、実行されることができ、他のプロダクト手段各々は、第１の独立請求項の方法に関連して説明した利点及び優位性の１つ又はそれ以上をもたらし、第１の独立請求項の方法に関連して説明され且つ従属請求項において開示される好適な実施形態に対応する１つ又はそれ以上の好適な実施形態を有する。
【００１８】
上記の及び以下の方法の特徴は、コンピュータ実行可能命令の実行によりもたらされる他の処理手段又はデータ処理システムにおいて実行され、且つソフトウェアにおいて実行されることが可能であることに留意する必要がある。命令は、コンピュータネットワークにより記憶媒体から又は他のコンピュータから、ＲＡＭのようなメモリにロードされるプログラム符号手段とすることが可能である。代替として、上記の特徴は、ソフトウェアとの組み合わせにおいて又はソフトウェアの代わりのハードウェア回路構成により実行されることが可能である。
【００１９】
本発明は、入力信号から第１出力信号及び第２出力信号を合成するための構成に更に関し、その構成は：
フィルタリングされた信号を生成するために入力信号をフィルタリングするためのフィルタ手段；
第１入力信号及び第２入力信号の間の好ましい相関を示す相関パラメータを得るための手段；
第１入力信号及び第２入力信号の間の好ましいレベル差を示すレベルパラメータを得るため手段；並びに
第１出力信号及び第２出力信号にマトリクス演算により入力信号及びフィルタリングされた信号を変換するための手段であって、マトリクス演算は相関パラメータ及びレベルパラメータに依存する、手段；
を有する。
【００２０】
本発明は、復号化された音声信号を供給するための装置に更に関し、その装置は；
符合化された音声信号を受信するための入力ユニット；
符合化された音声信号を復号化するための復号化器であって、上記のような及び下記におけるような第１音声信号及び第２音声信号を合成するための構成を有する、復号化器；並びに
復号化された第１音声信号及び第２音声信号を提供するための出力ユニット；
を有する。
【００２１】
本発明は、第１信号成分及び第２信号成分にマトリクス演算により入力信号及びフィルタリングされた信号を変換することにより入力信号から合成された第１信号成分及び第２信号成分を有する復号化されたマルチチャネル信号であって、フィルタリングされた信号は入力信号をフィルタリングすることにより生成され、マトリクス演算は、第１入力信号及び第２入力信号の間の好ましいレベル差を示すレベルパラメータと第１入力信号及び第２入力信号の間の好ましい相関を示す相関パラメータとに依存する、復号化されたマルチチャネル信号に関する。
【００２２】
本発明は、そのような復号化されたマルチチャネル信号を記憶した記憶媒体に更に関する。
【発明を実施するための最良の形態】
【００２３】
図２は、本発明の実施形態に従ったデコリレータを示している。デコリレータは、例えば、チャネル差ｃを示すパラメータとチャネル間の相互相関を示すパラメータＰの集合とモノ音声信号ｘとを生成するパラメトリック音声復号化器から、入力信号を受信するオールパスフィルタ２０１を有する。好適には、オールパスフィルタは、低周波数におけるより高周波数において比較的小さい遅延を提供する周波数依存性遅延を有する。これは、Ｓｃｈｒｏｅｄｅｒの位相複合（例えば、文献、Ｍ．Ｒ．Ｓｃｈｒｏｅｄｅｒ，”Ｓｙｎｔｈｅｓｉｓ  ｏｆ  ｌｏｗ−ｐｅａｋ−ｆａｃｔｏｒ  ｓｉｇｎａｌｓ  ａｎｄ  ｂｉｎａｒｙｓｅｑｕｅｎｃｅｓ  ｗｉｔｈ  ｌｋｏｗ  ａｕｔｏｃｏｒｒｅｌａｔｉｏｎ“，ＩＥＥＥ  Ｔｒａｎｓａｃｔ．Ｉｎｆ．Ｔｈｅｏｒ．，１６：８５−８９，１９７０を参照）の１周期を有するオールパスフィルタと固定の遅延量を置き換えることにより達成されることが可能である。デコリレータは、復号化器から空間パラメータを受信し、チャネル間の相互相関ρ及びチャネル距離ｃを抽出する分析回路２０２を更に有する。分析回路２０２は、図３ａ乃至ｃに関連して説明するように、ミキシングマトリクスＭ（α，β）を決定する。ミキシングマトリクスの成分は、入力信号ｘ及びフィルタリングされた信号
【００２４】
（外２）
2005523624.tif 000004
を更に受信する変換回路２０３に供給される。変換回路２０３は次式に従ってミキシング演算を実行し、
【００２５】
【数１】
2005523624.tif 000005
出力信号Ｌ及びＲを結果として得る。
【００２６】
図３ａ乃至ｃは、本発明の実施形態に従った信号生成について示している。図３ａにおいて、入力信号ｘは水平軸で表され、フィルタリングされた信号
【００２７】
（外３）
2005523624.tif 000006
は垂直軸で表されている。２つの信号は相関を有していないため、それらは２次元空間をスパンする直交ベクトルとして表されることが可能である。
【００２８】
出力信号Ｌ及びＲは、それぞれ、ベクトル３０１及び３０２として示されている。この表示において、信号Ｌ及びＲの間の相関は、ρ＝ｃｏｓ（α）に従って、ベクトル３０１及び３０２の間の角度α、即ち、ベクトル３０１及び３０２の間の角距離により与えられる。従って、正しい角距離を表すいずれの対のベクトルは特定の相関を有する。
【００２９】
それ故、所定の相関ρを有する信号Ｌ及びＲに信号ｘ及び
【００３０】
（外４）
2005523624.tif 000007
を変換するミキシングマトリクスは、次式のように表されることが可能である。
【００３１】
【数２】
2005523624.tif 000008
このようにして、オールパスフィルタにより処理された信号の量は好ましい相関に依存する。更に、オールパス信号成分のエネルギーは両方の出力チャネルにおいて同じである（しかし、１８０°の位相シフトを伴う）。
【００３２】
図１のＬａｕｒｉｄｓｅｎデコリレータは、マトリクスが次式、
【００３３】
【数３】
2005523624.tif 000009
により与えられる、即ち、α＝９０°が相関のない出力信号（ρ＝０）に対応する場合に対応することに留意する必要がある。
【００３４】
式（３）のマトリクスに伴う問題点を示すために、左チャネルの方にパンする極端な振幅を伴う状態、即ち、左チャネルのみに特定の信号が存在する場合を仮定する。出力間の好ましい相関は０であると、更に仮定する。この場合、式（３）のミキシングマトリクスを用いた式（１）の変換についての左チャネルの出力は
【００３５】
【数４】
2005523624.tif 000010
をもたらす。それ故、出力は、オールパスフィルタにより処理されたバージョン
【００３６】
（外５）
2005523624.tif 000011
と結び付いたオリジナルの信号ｘから成る。
【００３７】
しかしながら、オールパスフィルタは、通常、信号の知覚的品質を低下させるため、これは好ましくない状態にある。更に、オリジナルの信号とフィルタリングされた信号の加算は、出力信号の感知される特色のようなコムフィルタ効果をもたらす。この仮定された極端な場合、最善の解決方法は、左出力信号が入力信号から成ることである。このように、２つの出力信号の相関は尚も０である。
【００３８】
より適度なレベル差を有する状態においては、好適な状態は、より大きい音の出力チャネルはオリジナル信号を比較的多く含み、より小さい音の出力チャネルはフィルタリングされた信号を比較的多く含む。それ故、一般に、２つの出力両方において存在するオリジナル信号の量を最大化すること及びフィルタリングされた信号の量を最小化することが好ましい。
【００３９】
本発明に従って、これは、次式のような付加的な共通回転を有する、異なるミキシングマトリクスを導入することにより達成される。
【００４０】
【数５】
2005523624.tif 000012
ここで、βは付加回転であり、Ｃは、出力信号間の相対レベル差がｃに等しいことを確実にするスケーリングマトリクスであり、即ち、次式のようである。
【００４１】
【数６】
2005523624.tif 000013
式（１）に式（４）のマトリクスを入れることにより、本発明に従ったマトリクス演算により生成される出力信号が得られ、次式のようになる。
【００４２】
【数７】
2005523624.tif 000014
この状態について、図３ｂに示している。出力信号Ｌ及びＲは尚も角度差αを有し、即ち、Ｌ信号及びＲ信号の間の相関は、Ｌ信号及びＲ信号両方の角度βによる付加回転と好ましいレベル差に従った信号Ｌ及び信号Ｒのスケーリングとにより影響されることはない。
【００４３】
上記のように、好適には、Ｌ及びＲの合計出力におけるオリジナル信号ｘの量は最小化される必要がある。この条件は、次式、
【００４４】
【数８】
2005523624.tif 000015
により、角度βを決定するために用いられることが可能であり、これにより、次式のような条件、
ｔａｎ（β）＝（（１−ｃ）／（１＋ｃ））ｔａｎ（α／２）
が得られる。
【００４５】
この状態については、図３ｃに示しており、この図において、Ｌ成分及びＲ成分の合計はｘ方向に位置が合っている。
【００４６】
図４は、空間音声符合化のためのシステムを模式的に示している。このシステムは、符号化器４０１と対応する復号化器４０５とを有する。例えば、２００２年４月２２日に出願された、欧州特許出願公開第０２０７６５８８．９号明細書に開示されているような、符号化器４０１は、耳の間のレベル差、耳の間の時間（又は、位相）差及び時間と周波数の関数としての最大相関を特定することによりマルチチャネル音声信号の空間的寄与を表す。始めに、時間／周波数スライシング回路４０２及び４０３により、Ｒ成分及びＬ成分はそれぞれ、例えば、変換演算が後に続く時間帯化により、幾つかの時間／周波数スロットに分割される。
【００４７】
一実施形態において、左入力信号及び右入力信号は、種々の時間フレームに分割され（例えば、４４．１サンプリングレートにおいて２０４８サンプル）、ハニング（Ｈａｎｎｉｎｇ）ウィンドウの平方根を用いてウィンドウ化される。続いて、ＦＦＴが計算される。負のＦＦＴ周波数は捨てられ、結果的に得られるＦＦＴはＦＦＴビンのグループ（副帯域）に副分割される。副帯域において結合されるＦＦＴビン数は周波数に依存する。より高い周波数においては、より低い周波数におけるより、より多くのビンが結合される。例えば、約１．８ＥＲＢ（Ｅｑｕｉｖａｌｅｎｔ  Ｒｅｃｔａｎｇｕｌａｒ  Ｂａｎｄｗｉｄｔｈ）に対応するＦＦＴビンはグループ化され、例えば、全体的な可聴周波数領域を表す２０個の副帯域が結果的に得られる。
【００４８】
続いて、分析回路４０４において、全ての時間／周波数スロットに対して、次の入力信号の特性であって：
２つの入力から生じる対応する帯域制限信号の相対レベルにより規定される、耳の間のレベル差、即ちＩＬＤ；
耳の間の相関関数におけるピークに対応する耳の間の遅延（又は、位相シフト）により規定される、耳の間の時間（又は、位相）差（ＩＴＤ又はＩＰＤ）；及び
相関関数の最大値（即ち、最大ピークの位置における相関関数の値）によりパラメータ化されることができる、ＩＴＤ又はＩＬＤにより説明することができない波形の類似性；
の特性が分析される。
【００４９】
上記の３つのパラメータは時間に対して変化する。しかしながら、両耳の聴覚システムはその処理において非常に機能が鈍いことが知られているため、上記の特性の更新レートは非常に遅い（典型的には、数十ミリ秒）。
【００５０】
分析回路４０４は、左信号及び右信号の組み合わせを有する和（又は、ドミナント）信号Ｓを更に生成する。それ故、Ｌ信号及びＲ信号は、和信号Ｓ、並びに、周波数及び時間の関数としてのパラメータＰ、ＩＬＤ、ＩＴＤ／ＩＰＤを有するパラメータＰ、及び相関関数の最大値の集合として符合化される。
【００５１】
この実施形態におけるパラメータＩＬＤがＩＬＤ＝ｋ・ｌｏｇ（ｃ）により図２の実施形態におけるチャネル差パラメータｃに関連し、ここで、ｋは定数であり、即ち、ＩＬＤはｃの対数に比例する、ことに留意する必要がある。
【００５２】
一実施形態において、各々の副帯域に対して、対応するＩＬＤ、ＩＴＤ及び相関ρが計算される。ＩＴＤ及び相関は、他のグループに属すＦＦＴビン全てを０に設定し、左チャネル及び右チャネルから得られる（帯域制限）ＦＦＴを乗算し、逆ＦＦＴ変換により後継されることにより、簡単に計算される。結果として得られる相関関数は、−６４のサンプルと＋６３のサンプルとの間のチャネル間遅延の領域内のピークに対して走査される。ピークに対応する内部遅延はＩＴＤ値として用いられ、このピークにおける相関関数の値はこの副帯域の耳の間の相関として用いられる。最終的に、ＩＬＤは、各々の副帯域に対して左チャネル及び右チャネルのパワー比を取ることにより簡単に計算される。
【００５３】
和信号Ｓは、位相補正（時間的アライメント）の後、左副帯域及び右副帯域の加算により生成される。この位相補正は、その副帯域に対して計算されたＩＴＤに続いてなされ、ＩＴＤ／２を有する左チャネル副帯域と−ＩＴＤ／２を有する右チャネル副帯域とを遅延させることを有する。遅延は、各々のＦＦＴビンの位相角度の適切な修正によりその周波数領域においてなされる。続いて、和信号は、左副帯域信号及び右副帯域信号の位相修正バージョンを加算することにより計算される。最終的に、相関がない又は相関がある加算を補償するために、和信号の各々の副帯域は、対応する副帯域の相関ρを有する
√（２／（１＋ρ））で乗算される。必要に応じて、和信号は、（１）負の周波数において複素共役を入れること（２）逆ＦＦＴ、（３）ウィンドウ化及び（４）重複和により時間領域に変換されることができる。
【００５４】
好適には、空間パラメータは、それらの送信に対する要求ビットレートを減少させるために量子化される。
【００５５】
和信号Ｓ及びパラメータＰは、復号化器４０５に通信される。復号化器４０５は、図２に関連して説明したような左信号及び右信号の間の相関を修正するデコリレータ回路４０６を有する。復号化器は、副帯域に対応する（量子化）ＩＴＤが与えられる、左信号の各々の副帯域を−ＩＴＤ／２だけ、右信号の各々の副帯域をＩＴＤ／２だけ遅延する、遅延回路４０７及び４０８を有する。復号化器は、副帯域に対するＩＴＤに従って副帯域をスケーリングし、例えば、次の段階、即ち、（１）負の周波数において複素共役を入れる段階（２）逆ＦＦＴの段階、（３）ウィンドウ化の段階、及び（４）重複和の段階を実行することにより、出力信号を時間領域に変換する。
【００５６】
図５は、本発明の実施形態に従ってステレオ音声信号を通信するためのシステムの模式図を示している。このシステムは、符合化音声信号を生成するための符合化装置５０１と、受信された符合化信号をステレオ信号に復号化するための復号化装置５０５とを有する。符合化装置５０１及び復号化装置各々は、いずれの電子装置又はそのようなそう知の一部であることが可能である。
【００５７】
ここで、用語、電子装置は、例えば、据え置き型又は可搬型コンピュータのようなコンピュータ、据え置き型又は可搬型無線通信装置、及び、携帯電話、ポケットベル、オーディオプレーヤ、マルチメディアプレーヤ、通信装置、即ち、電子オーガナイザ、スマートフォン、携帯情報端末（ＰＤＡ）、可搬型コンピュータ等のコンピュータを有する。符合化装置５０１と復号化装置は、音声信号が後の再生のためのコンピュータ読み取り可能媒体に記憶される１つの電子装置において結合されることが可能である、ことに留意する必要がある。
【００５８】
符合化装置５０１は、ステレオ信号を受信するための入力ユニット５１１と、符号化器５左信号成分Ｌ及び右信号成分を有するステレオ音声信号を符合化するための符号化器５０２とを有する。符号化器５０２は、入力ユニット５１１により２つの信号成分を受信し、符合化信号Ｔを生成する。ステレオ信号は、例えば、ミキシング装置等のような他の電子装置により、マイクロフォンの集合からもたらされることが可能である。信号は、他のオーディオプレーヤからの出力として、無線信号として放送において、又はいずれの他の適切な手段により、更に受信されることが可能である。そのような符号化器の例については、上で、図４に関連して説明した。
【００５９】
一実施形態に従って、符号化器５０２は、復号化装置５０５に通信チャネル５０９により符合化信号Ｔを送信するために送信器５０３に接続される。送信器５０３は、例えば、有線の又は無線のデータリンク５０９により、データの通信を可能にするために適する回路構成を有することが可能である。そのような送信器の例としては、ネットワークインタフェース、ネットワークカード、無線送信器、例えば、ＩｒＤａポートにより赤外光を送信するためのＬＥＤのような他の適切な電磁信号のための送信器、Ｂｌｕｅｔｏｏｔｈトランジスタのような無線ベース通信等がある。適切な送信器の他の例としては、ケーブルモデム、電話モデム、ＩＳＤＮ（Ｉｎｔｅｇｒａｔｅｄ  Ｓｅｒｖｉｃｅｓ  Ｄｉｇｉｔａｌ  Ｎｅｔｗｏｒｋ）アダプタ、ＤＳＬ（Ｄｉｇｉｔａｌ  Ｓｕｂｓｃｒｉｂｅｒ  Ｌｉｎｅ）アダプタ、衛星放送トランシーバ、イーサネット（登録商標）アダプタ等がある。それに対して、通信チャネル５０９は、例えば、インターネット又は他のＴＣＰ／ＩＰネットワークのようなパケットベースの通信ネットワーク、赤外線リンクのような狭い領域の通信リンク、Ｂｌｕｅｔｏｏｔｈ接続又は他の無線ベースのリンク等の、いずれの適切な有線又は無線データリンクであることが可能である。
【００６０】
通信チャネルの他の例としては、ＣＤＰＤ（Ｃｅｌｌｕｌａｒ  Ｄｉｇｉｔａｌ  Ｐａｃｋｅｔ  Ｄａｔａ）ネットワーク、ＧＳＭ（Ｇｌｏｂａｌ  Ｓｙｓｔｅｍ  ｆｏｒ
Ｍｏｂｉｌｅ）ネットワーク、ＣＤＭＡ（Ｃｏｄｅ  Ｄｉｖｉｓｉｏｎ  Ｍｕｌｔｉｐｌｅ  Ａｃｃｅｓｓ）ネットワーク、ＴＤＭＡ（Ｔｉｍｅ  Ｄｉｖｉｓｉｏｎ  Ｍｕｌｔｉｐｌｅ  Ａｃｃｅｓｓ）ネットワーク、ＧＰＲＳ（Ｇｅｎｅｒａｌ  Ｐａｃｋｅｔ  Ｒａｄｉｏ  Ｓｅｒｖｉｃｅ）ネットワーク、ＵＭＴＳネットワークのような第３世代ネットワーク
等がある。
【００６１】
代替として又は付加として、符合化装置は、復号化装置５０５に符合化ステレオ信号Ｔを通信するための、１つ又はそれ以上の他のインタフェース５０４を有することが可能である。そのようなインタフェースの例としては、例えば、フロッピー（登録商標）ディスクドライブ、読み出し／書き込みＣＤ−ＲＯＭドライブ、ＤＶＤドライブ等のコンピュータ読み出し可能媒体５１０においてデータを記憶するためのディスク型ドライブがある。他の例としては、メモリカードスロット、磁気カードリーダ／ライタ、スマートカードにアクセスするためのインタフェース等がある。
【００６２】
それに対して、復号化器５０５は、送信器により送信信号を受信するための、対応する受信器５０８及び／又はコンピュータ読み出し可能媒体５１０とインタフェース５０４により通信された符合化ステレオ信号を受信するための他のインタフェース５０６を有する。復号化装置は、受信信号Ｔを受信し、復号化されるステレオ信号の対応する成分Ｌ´及びＲ´にそれを復号化する復号化器５０７を更に有する。本発明に従ったそのような復号化器の好適な実施形態については、上で、図４に関連して説明した。復号化装置は、ラウドスピーカの集合による再生のためのオーディオプレーヤに続いて供給されることが可能である復号化信号を出力するための出力ユニット５１２を更に有する。
【００６３】
上記の構成は、一般目的又は特定目的プログラマブルマイクロプロセッサ、デジタル信号処理器（ＤＳＰ）、特定用途向け集積回路（ＡＳＩＣ）、プログラマブルロジックアレイ（ＰＬＡ）、フィールドプログラマブルゲートアレイ（ＦＰＧＡ）、特定目低電子回路等、又はそれらいずれの組み合わせとすることが可能であることに留意する必要がある。
【００６４】
上記の実施形態は本発明を制限するのではなく例として示しており、当業者は同時提出の“特許請求の範囲”の範囲から逸脱することなく多くの代替の実施形態をデザインすることができることに、留意する必要がある。
【００６５】
例えば、本発明は、ステレオ音響信号に限定されるものではなく、３つ以上の入力チャネルを有する他のマルチチャネル入力信号に又、適用されることが可能である。そのようなマルチチャネル信号の例としては、ＤＶＤ（Ｄｉｇｉｔａｌ  Ｖｅｒｓａｔｉｌｅ  Ｄｉｓｃ）、ＳＡＣＤ（Ｓｕｐｅｒ  Ａｕｄｉｏ  Ｃｏｍｐａｃｔ  Ｄｉｓｃ）等から受信される信号がある。
【００６６】
表現“を有する”及びそれから派生した表現は、請求項に記載されたもの以外の構成要素又は段階の存在を排除するものではない。構成要素の単数表現は、それら構成要素の複数の存在を排除するものではない。
【００６７】
本発明は、幾つかの別々の構成要素を有するハードウェアの手段により、そして、適切にプログラムされたコンピュータの手段により、実施されることができる。幾つかの手段を挙げた装置請求項においては、それらの幾つかの手段を、一つのハードウェア及びハードウェアの同じアイテムにより具現化することができる。特定の手段が互いに異なる独立請求項において挙げられているという単なる事実は、それらの手段の組み合わせを有利になるように用いることができないことを示すものではない。
【図面の簡単な説明】
【００６８】
【図１】先行技術のＬａｕｒｅｄｓｅｎデコリレータを示す図である。
【図２】本発明の実施形態に従ったデコリレータを示す図である。
【図３ａ】本発明の実施形態に従った信号生成を示す図である。
【図３ｂ】本発明の実施形態に従った信号生成を示す図である。
【図３ｃ】本発明の実施形態に従った信号生成を示す図である。
【図４】空間音声符合化のためのシステムの模式図である。
【図５】マルチチャネル音声信号を通信するためのシステムの模式図である。
【図１】
2005523624.tif 000016
【図２】
2005523624.tif 000017
【図３ａ】
2005523624.tif 000018
【図３ｂ】
2005523624.tif 000019
【図３ｃ】
2005523624.tif 000020
【図４】
2005523624.tif 000021
【図５】
2005523624.tif 000022
【国際調査報告】
2005523624.tif 000023
2005523624.tif 000024